(57)【要約】【課題】  日本人形、西洋人形等の人形やその付属品、置物等の物品を飾り付けたり、収納したり、又、装飾品、洋服等をも収納する包装用容器に関するものである。【解決手段】  包装用容器内面の少なくとも一面に、カーボンを含む部材で覆った層を設け、カーボンを含む部材としては、木材から製造した木炭を超微粒子に特殊加工して塗料化し、木材から製造した木炭は、備長炭を用いた。包装用容器の底面あるいは上面に、木材から製造した木炭を粉砕して形成した木炭粒子を配置した層を設け、木材から製造した木炭は備長炭を用い、層の表面に不織布又は織布を配置する。又、不織布又は織布は、木材から製造した木炭を含む不職布又は織布であり、木材から製造した木炭は、備長炭を用いた。【選択図】  図１
2005053528.tif 000002
【特許請求の範囲】
【請求項１】
内部に物品を収納するための包装用容器において、
この包装用容器内面の少なくとも一面に、カーボンを含む部材で覆った層を設けたこと
を特徴とする包装用容器。
【請求項２】
前記包装用容器は、桐箱であること
を特徴とする請求項１に記載の包装用容器。
【請求項３】
前記包装用容器は、背面が不透明な部材で形成され、その他の面が透明な部材で形成された箱型の包装用容器であり、前記背面の外側又は内側に、前記層を設けたこと
を特徴とする請求項１に記載の包装用容器。
【請求項４】
前記カーボンを含む部材は、木材から製造した木炭を超微粒子に特殊加工して塗料化した木炭製塗料であり、この木炭製塗料で、前記層を形成したこと
を特徴とする請求項１〜請求項３にそれぞれ記載の包装用容器。
【請求項５】
前記木材から製造した木炭は、備長炭であること
を特徴とする請求項４に記載の包装用容器。
【請求項６】
内部に物品を収納するための包装用容器において、
前記包装用容器の底面に、木材から製造した木炭を粉砕して形成した木炭粒子を配置した層を設け、この層の表面に、不織布又は織布を配置したこと
を特徴とする包装用容器。
【請求項７】
前記包装用容器の底面の代わりに上面に、前記層を設け、この層の表面に、不織布又は織布を配置したこと
を特徴とする請求項６に記載の包装用容器。
【請求項８】
前記包装用容器は、桐箱であること、
を特徴とする請求項６あるいは請求項７に記載の包装用容器。
【請求項９】
前記包装用容器は、底面以外の面が透明な部材で形成された箱型の包装用容器であること
を特徴とする請求項６に記載の包装用容器。
【請求項１０】
前記木材から製造した木炭は、備長炭であること
を特徴とする請求項６あるいは請求項７、請求項８〜請求項９にそれぞれ記載の包装用容器。
【請求項１１】
前記不織布又は織布は、カーボンを含んでいること
を特徴とする請求項６あるいは請求項７、請求項８〜請求項１０にそれぞれ記載の包装用容器。
【請求項１２】
前記カーボンを含む不織布又は織布は、木材から製造した木炭を含む不職布又は織布であること
を特徴とする請求項１１に記載の包装用容器。
【請求項１３】
前記木材から製造した木炭は、備長炭であること
を特徴とする請求項１２に記載の包装用容器。
【発明の詳細な説明】
【技術分野】
【０００１】
この発明は、日本人形、西洋人形等の人形やその付属品、置物等の物品を飾り付けたり、収納したり、又、装飾品、洋服等をも収納する包装用容器に関するものである。
【背景技術】
【０００２】
一般に、人形はその造形技法から分類される各種のものがある。使用されている材料を主体に各技法から分類すると、（１）土偶、土人形等のように、土から造形される土人形、（２）紙人形、張り子人形、紙塑人形等のように、紙から造形される紙人形、（３）木彫り人形、桐塑人形等のように、木から造形される木彫り人形、（４）着物や洋服を着ている衣装人形、木目込み人形、縫いぐるみ人形等のように、布から造形されている衣装人形と大きく４つに分類される。
【０００３】
そして、ひな人形、五月人形、市松人形等のように、日本独特の着物等を着た日本人形や古来のあるいは現代的な洋服を着た西洋人形等は、衣装人形に属し、又、木材や桐塑で形成した人形本体に筋彫りして、これに布を木目込むことにより衣装を着せ付けた木目込み人形も同様に衣装人形に属している。
【０００４】
このように、これらの人形の芯胴は、木材で形成したもの、わらを紐や針金等により縛りわら胴を形成し、さらにこのわら胴全体に和紙を貼って形成したもの、発砲スチロールで芯胴が形成されているもの等がある。又、頭や手足は、別の制作工程で形成され、いずれも胡紛仕上げされ、接着剤で芯胴に固定され、非常に多くの部材から形成されている。
【０００５】
その上、ひな人形や五月人形等は、多くの付属品とともに段飾りされるが、これら付属品も多くの部材から形成されている。そして、これら人形やその付属品は、ガラス等の透明部材で形成されたケースに収納して飾り、又、押入等にしまい込まれる場合には、木材で形成された箱、例えば、桐や杉等で形成された箱等の包装用容器やダンボール箱やその他の部材で形成された包装用容器に収納される。そして、その他の物品、例えば、床の間の置物、装飾品等の貴重品も同様である。
【特許文献１】特開２００３−１３４４２８号公報
【発明の開示】
【発明が解決しようとする課題】
【０００６】
このように、ガラスケース等の飾り付け用の包装用容器や収納用の包装用容器に収納されている。これらの物品は、いずれも多くの材料から形成されている。例えば、衣装人形は、木材、わら、和紙、顔料、胡紛、衣装の繊維、漆、膠、ふのり等、多くの材料が使用されている。又、大量生産するために、合成樹脂等の新素材を使用したもの等もある。
【０００７】
一方、多くの材料が使用されているのに、全く防虫処理が施されておらず、害虫の被害を受けやすいという問題があった。特に、わらで形成した芯胴や木材で形成した芯胴や人形の衣装は、害虫の被害にあうという問題があった。又、外からの害虫だけでなく、時にはわらや木材中に生息していた害虫による被害も発生するという問題もあった。
【０００８】
又、衣装人形は、布製の衣装の繊維、和紙、これらを糊付けするための糊等、多くの材料が使用されているため、害虫がつきやすいという問題があった。その上、これらの衣装人形は、押入や納戸等の湿気の多い場所に長期間収納される場合が多く、人形が湿気を吸収し、そのためにカビが付着し易いという問題もあった。
【０００９】
そこで、ひな人形や五月人形のように、年に一度展示され、その他の期間は箱に収納されて押入や納戸等にしまわれているような衣装人形の場合には、害虫による被害を防止するために、箱の中にナフタリン等の防虫剤や乾燥剤等の化学薬品が入れられていた。
【００１０】
しかしながら、長期間保存している間には、防虫剤や乾燥剤等の化学薬品により、人形の衣装が変色し、又、発砲スチロール等の合成樹脂を使用しているものは、人形が溶けてしまうという問題があった。さらに、衣装に化学繊維を使用している場合には、ホルムアルデヒド等の化学物質が発生し、環境に良くないという問題もあった。
【００１１】
この発明は、このような事情に鑑みてなされたもので、これらの問題を解決することの出来る物品を収納するための包装用容器を提供することにある。
【課題を解決するための手段】
【００１２】
請求項１に係わる発明は、内部に物品を収納するための包装用容器において、この包装用容器内面の少なくとも一面に、カーボンを含む部材で覆った層を設けたことを特徴とし、請求項２に係わる発明は、請求項１に係わる発明において、包装用容器は、桐箱であることを特徴とし、請求項３に係わる発明は、請求項１に係わる発明において、包装用容器は、背面が不透明な部材で形成され、その他の面が透明な部材で形成された箱型の包装用容器であり、この背面の外側又は内側に、層を設けたことを特徴とすし、請求項４に係わる発明は、請求項１〜請求項３にそれぞれ係わる発明において、カーボンを含む部材は、木材から製造した木炭を超微粒子に特殊加工して塗料化した木炭製塗料であり、この木炭製塗料で、層を形成したことを特徴とし、請求項５に係わる発明は、請求項４に係わる発明において、木材から製造した木炭は、備長炭であることを特徴とする。
【００１３】
請求項６に係わる発明は、内部に物品を収納するための包装用容器において、包装用容器の底面に、木材から製造した木炭を粉砕して形成した木炭粒子を配置した層を設け、この層の表面に、不織布又は織布を配置したことを特徴とし、請求項７に係わる発明は、請求項６に係わる発明において、包装用容器の底面の代わりに上面に、層を設け、この層の表面に、不織布又は織布を配置したことを特徴とし、請求項８に係わる発明は、請求項６あるいは請求項７に係わる発明において、包装用容器は、桐箱であることを特徴とし、請求項９に係わる発明は、請求項６に係わる発明において、包装用容器は、底面以外の面が透明な部材で形成された箱型の包装用容器であることを特徴とし、請求項１０に係わる発明は、請求項６あるいは請求項７、請求項８〜請求項９に係わる発明において、木材から製造した木炭は、備長炭であることを特徴とし、請求項１１に係わる発明は、請求項６あるいは請求項７、請求項８〜請求項１０係わる発明において、不織布又は織布は、カーボンを含んでいることを特徴とし、請求項１２に係わる発明は、請求項１１に係わる発明において、カーボンを含む不織布又は織布は、木材から製造した木炭を含む不職布又は織布であることを特徴とし、請求項１３に係わる発明は、請求項１２に係わる発明において、木材から製造した木炭は、備長炭であることを特徴とする。
【発明の効果】
【００１４】
請求項１〜請求項５に係わる発明の包容用容器は、いずれの形式の包装用容器においても、この包装用容器内面の少なくとも一面に、カーボンを含む部材で覆った層を設け、又、カーボンを含む部材は、木材から製造した木炭を超微粒子に特殊加工して塗料化した木炭製塗料であり、この木炭製塗料で層を形成し、又、木材から製造した木炭は、備長炭を使用したので、いずれの発明も防虫効果、防湿効果、防臭効果がある。又、かびの発生もない等の効果がある。
【００１５】
さらに、備長炭を使用したものは、備長炭によるイオン効果、ヒーリング効果もあり、環境に良好である。又、衣装やその他の付属品が化学製品で形成され、ホルムアルデヒド等の体に有害な化学物質が発生する場合にも、この有害な物質を吸収することが出来る。
【００１６】
又、請求項６〜請求項１３に係わる発明の包装用容器は、いずれの形式の包装用容器においても、包装用容器の底面あるいは上面に、木材から製造した木炭を粉砕して形成した木炭粒子を配置した層を設け、さらに、又、木材から製造した木炭は備長炭を使用し、さらに、又、この層の表面に、不織布又は織布を配置し、さらに、又、不織布又は織布は、カーボンを含んでおり、さらに、又、カーボンを含む不織布又は織布は、木材から製造した木炭を含む不職布又は織布であり、さらに、又、木材から製造した木炭は、備長炭を使用したので、防虫効果、防湿効果、防臭効果がある。又、かびの発生もない等の効果がある。
【００１７】
又、木炭粒子を配置した層と木炭を含む不職布又は織布とによる二重効果とかり、防虫効果、防湿効果、防臭効果、防カビ効果がさらに向上する。又、鑑賞者に対するイオン効果、ヒーリング効果も向上し、環境に良好である。又、衣装やその他の付属品が化学製品で形成され、ホルムアルデヒド等の体に有害な化学物質が発生する場合にも、この有害な物質を吸収する効果もさらに向上する。
【００１８】
特に、木炭粒子を配置した層と木炭を含む不職布又は織布とにいずれも備長炭を使用したものは、備長炭による防虫効果、防湿効果、防臭効果、防カビ効果に加えて、鑑賞者に対するイオン効果、ヒーリング効果も顕著となり、環境に良好である。
【発明を実施するための最良の形態】
【００１９】
人形等を収納する包装用容器は桐で形成した桐箱とし、この桐箱の内面に、備長炭を超微粒子に特殊加工して塗料化した塗料を塗布した層を設けたので、内部に収納された人形等の物品に対する防虫効果、防湿効果、防臭効果、防カビ効果に加えて、鑑賞者に対するイオン効果、ヒーリング効果もあり、環境にも良好である包装用容器を実現した。
【実施例１】
【００２０】
この発明の第１の実施例を、図１に基づいて詳細に説明する。
図１は、この発明の第１の実施例を示す要部断面図である。
【００２１】
図１において、この実施例１の場合の人形等の物品（図示せず）を収納する包装用容器１は、本体２と蓋体３とにより構成されており、いずれも桐で矩形状の箱形に形成されている。４は本体２及び蓋体３の内面全体に形成された層で、この実施例１の場合には、カーボンを含む塗料で塗装処理が施されており、カーボンを含む塗料としては、木炭の一種である備長炭を超微細粒子に特殊加工して塗料化した水性の塗料が使用されている。
【００２２】
なお、カーボンを含む塗料としては、木炭である備長炭を含む塗料が使用されているが、その他の木炭を含む塗料でも良い。即ち、木炭には、黒炭と白炭とがあり、備長炭は白炭に属しており、硬度が大で、手が汚れにくいという利点がある。一方、黒炭には、流木炭、桃炭（ももの木から製造した木炭）、竹炭（竹から製造した木炭）等があり、白炭ほどの硬度はなく、手が黒くなるとの欠点はあるが、カーボンを含む塗料として使用することが出来、同様な作用効果がある。
【００２３】
次いで、包装用容器１の本体２及び蓋体３を、カーボンを含む塗料により塗装処理するために、備長炭を含む塗料の水性液を内面全体に刷毛等で塗布している。なお、吹き付ける方法や、包装用容器１の内外面全体に層４を形成する場合には、包装用容器１全体を塗装溶液中に浸してもよい。いずれも同様な作用効果がある。次いで、包装用容器１を乾燥させる。
【００２４】
このように、包装用容器１に備長炭を主体とした塗料が塗布されている層４を形成したので、内部に収納されている人形等の物品に対する防虫効果、防湿効果、防臭効果、防かび効果がある。さらに、備長炭による鑑賞者に対するイオン効果、ヒーリング効果もさらに顕著であり、環境に良好である。又、かびの発生もない等の効果がある。又、人形等の衣装やその他の付属品が化学製品で形成され、ホルムアルデヒド等の体に有害な化学物質が発生する場合にも、この有害な物質を吸収することが出来る。なお、備長炭を含む塗料以外の他の木炭を含む塗料を使用しても良く、同様な作用効果がある。
【００２５】
なお、包装用容器１の形状としては、この実施例１のように、桐で箱型に形成した桐箱に限らず、その他の部材で箱型に形成されたものでもよく、又、その形状は三角型、五角型、あるいは筒型であってもよく、いずれも同様な作用効果が得られる。又、この実施例１では、桐箱の内面全体に層４を形成したが、内面の内少なくともひとつの面に形成してもよく、実施例１と同様ではなくとも、十分な作用効果が得られる。
【実施例２】
【００２６】
図２は、この発明の第２の実施例を示す要部断面図である。上記実施例１では、包装用容器１としては、桐で形成されている桐箱の場合について説明したが、図２に示すものは、背面２２が不透明な部材で形成され、その他の面が、ガラス等の透明な部材２５で形成された箱型の飾り用のガラスケースのような包装用容器２１である。そして、このような包装用容器２１の背面２２の外側に、層２４が形成されており、この層２４は、上記実施例１と同様に形成されている。
【００２７】
このように形成したので、背面の内側に層２４が形成されている場合には、人形等の物品が飾り付けられている場合にも上記実施例１と同様な作用効果が得られる。又、背面２２の外側に層２４を形成した場合には、背面２２の内側に装飾用の図柄等が描かれている場合には、これらの図柄を損なうことはない。又、この包装用容器２４の底面２３の外側又は内側に層２４を形成しても同様な作用効果が得られる。
【実施例３】
【００２８】
図３〜図４は、この発明の第３の実施例を示すもので、図３は要部断面図、図４は上面図である。上記実施例１と同様に、包装用容器３１として桐で形成されている桐箱の場合について説明する。
【００２９】
図３〜図４において、人形等の物品（図示せず）を収納する包装用容器３１は、実施例１の場合と同様に、本体３２と蓋体３３とにより構成されており、いずれも桐で矩形状の箱形に形成された桐箱である。さらに、本体３２の内部底面には、木材から製造した木炭を粉砕して形成した木炭粒子として備長炭を粉砕した粒子を配置した層３４を設け、この層３４の表面には、不織布又は織布３５を配置し、これを貼着して層３４から木炭粒子がこぼれないように覆われている。
【００３０】
このように構成したので、上記実施例１と同様に、包装用容器３１に収納されている物品に対して、防虫効果、防湿効果、防臭効果がある。又、カビの発生もない等の効果がある。又、衣装やその他の付属品が化学製品で形成され、ホルムアルデヒド等の体に有害な化学物質が発生する場合にも、この有害な物質を吸収することが出来る。さらに、備長炭によるイオン効果、ヒーリング効果もあり、環境にも良好である。
【００３１】
なお、実施例３の場合には、層３４を構成する木炭粒子としては、備長炭が使用されているが、これに限定されるものではなく、層３４を覆う不織布又は織布３５は、カーボンを含んでいる物でもよく、さらに、このカーボンを含む不織布又は織布３５は、木材から製造した木炭を含む不職布又は織布であってもよく、又、特に、木炭粒子を配置した層３４と木炭を含む不職布又は織布３５とに備長炭を使用したものは、備長炭による防虫効果、防湿効果、防臭効果、防カビ効果に加えて、イオン効果、ヒーリング効果も二重となり顕著となり、環境に良好である。
【００３２】
さらに、包装用容器３１の形状としては、この実施例３のように、桐で箱型に形成した桐箱に限らず、その他の部材で箱型に形成されたものでもよく、又、その形状は三角型、五角型、あるいは筒型であってもよく、いずれも同様な作用効果が得られる。その他、包装用容器３１としては、底面以外の面が透明な部材で形成されたガラスケース等であってもよく、同様な作用効果が得られる。
【実施例４】
【００３３】
図５はこの発明の第４の実施例を示す要部断面図である。
上記実施例３の場合には、包装用容器３１としては、桐箱が使用され、その内部底面に層３４が形成されているが、図５に示すように、この実施例４の場合には、包装用容器４１の上面、即ち、蓋体４３側に木炭粒子の層４４を形成し、この層４４を不織布又は織布４５で覆ってもよい。この場合にも、実施例３と同様な作用効果が得られる。
【産業上の利用可能性】
【００３４】
日本人形、西洋人形等の人形やその付属品、置物等の物品を飾り付けたり、収納したり、する際の包装用容器としての用途がある。さらに、人形に限らず、床の間の置物、身に付ける一般の装飾品、洋服等をも収納する際の包装用容器としての用途にも適用出来る。
【図面の簡単な説明】
【００３５】
【図１】この発明の第１の実施例を示す要部断面図である。
【図２】この発明の第２の実施例を示す要部断面図である。
【図３】この発明の第３の実施例を示す要部断面図である。
【図４】この発明の第３の実施例を示す要部上面図である。
【図５】この発明の第４の実施例を示す要部断面図である。
【符号の説明】
【００３６】
１、２１、３１、４１    包装用容器
２          包装要容器１の本体
３          包装要容器１の蓋体
４          包装用容器１の層
２２        包装用容器２１の背面
２３        包装用容器２１の底面
２４        包装用容器２１の層
３２        包装用容器３１の本体
３３        包装用容器３１の蓋体
３４        包装用容器３１の層
４３        包装用容器４１の蓋体
４４        包装用容器４１の層
４５        不織布又は織布
【図１】
2005053528.tif 000003
【図２】
2005053528.tif 000004
【図３】
2005053528.tif 000005
【図４】
2005053528.tif 000006
【図５】
2005053528.tif 000007